(57)【特許請求の範囲】
【請求項１】
充電と放電の充放電サイクルを繰り返しながら使用する二次電池の寿命を判定する二次電池寿命判定方法であって、
前記二次電池の充放電サイクルの放電毎に前記二次電池を完全に充電することを条件とした場合の、前記二次電池の充放電サイクルの放電量対応に予め測定された前記二次電池の寿命が低減する割合を示す指数を前記充放電サイクル毎の放電量対応に記憶装置に記憶し、
前記二次電池の充放電サイクル毎の放電量を算出し、
算出された前記放電量で前記記憶装置を参照し算出された前記放電量に対応する前記指数を取得し、
前記二次電池の今回の充放電サイクルまでの充放電サイクル毎に取得された指数と前記二次電池の最大寿命とに基づいて、前記今回の充放電サイクル後の前記二次電池の残り寿命を算出し、
算出された残り寿命が予め決められた基準値よりも「小さい」か否かを判定し、該判定の結果「小さい」と判定されたとき寿命が尽きたと判定することを特徴とする二次電池寿命判定方法。
【請求項２】
充電と放電の充放電サイクルを繰り返しながら使用する二次電池の寿命を判定する二次電池寿命判定方法であって、
前記二次電池の充放電サイクルの充電量及び放電量対応に予め測定された前記二次電池の寿命が低減する割合を示す指数を前記充放電サイクル毎の充電量及び放電量対応に記憶装置に記憶し、
前記二次電池の充放電サイクル毎の充電量及び放電量を算出し、
算出された前記充電量及び放電量で前記記憶装置を参照し算出された前記充電量及び放電量に対応する指数を取得し、
前記二次電池の今回の充放電サイクルまでの充放電サイクル毎に取得された指数と前記二次電池の最大寿命とに基づいて、前記今回の充放電サイクル後の前記二次電池の残り寿命を算出し、
算出された残り寿命が予め決められた基準値より小さいか否かを判定し、
該判定の結果「小さい」と判定されたとき寿命が尽きたと判定することを特徴とする二次電池寿命判定方法。
【請求項３】
充電と放電の充放電サイクルを繰り返しながら使用する二次電池の今回の充放電サイクル後の前記二次電池の寿命が来るまでに残された使用可能時間を算出する二次電池の使用可能時間算出方法であって、
前記二次電池の今回の充放電サイクル終了時点における前記二次電池の残り寿命を算出し、
前記二次電池の初回の充放電サイクルから今回の充放電サイクルまでの各充放電サイクル毎の寿命消耗量の和を充放電サイクル数で除した平均寿命消耗量を算出し、
前記二次電池の最初の充放電サイクルから今回の充放電サイクルまでの平均使用時間を算出し、
算出された前記二次電池の残り寿命、前記平均寿命消耗量及び前記平均使用時間に基づいて今回の充放電サイクル後の前記二次電池の寿命が来るまでに残された使用可能時間を算出することを特徴とする二次電池の使用可能時間算出方法。
【請求項４】
前記二次電池の残り寿命は、前記二次電池の最大寿命から今回の充放電サイクルまでの充放電サイクル毎の寿命消耗量を差し引いた値であることを特徴とする請求項３記載の二次電池の使用可能時間算出方法。
【請求項５】
前記寿命消耗量は、前記二次電池の充放電サイクルの放電毎に前記二次電池を完全に充電することを条件とした場合の、前記二次電池の充放電サイクルの放電量対応に予め測定された前記二次電池の寿命が低減する割合を示す指数を前記充放電サイクル毎の放電量対応に記憶装置に記憶し、
前記二次電池の前回の充放電サイクルまでの充放電サイクル毎の放電量を算出し、
前記前回の充放電サイクルまでの各充放電サイクルで算出された放電量で前記記憶装置を参照し算出された当該放電量に対応する指数を取得し、
前記前回の充放電サイクルまでの充放電サイクル毎に取得された指数と前記二次電池の最大寿命とに基づいて算出された前記前回の充放電サイクル後の前記二次電池の残り寿命を算出し、
前記二次電池の今回の充放電サイクルまでの充放電サイクル毎の放電量を算出し、
前記今回の充放電サイクルまでの各充放電サイクルで算出された放電量で前記記憶装置を参照し算出された当該放電量に対応する指数を取得し、
前記今回の充放電サイクルまでの充放電サイクル毎に取得された指数と前記二次電池の最大寿命とに基づいて算出された前記今回の充放電サイクル後の前記二次電池の残り寿命を算出し、
算出された前記前回の充放電サイクル後の前記二次電池の残り寿命から算出された前記今回の充放電サイクル後の前記二次電池の残り寿命を差し引いて求めることを特徴とする請求項３又は４記載の二次電池の使用可能時間算出方法。
【請求項６】
前記寿命消耗量は、前記二次電池の充放電サイクルの充電量及び放電量対応に予め測定された前記二次電池の寿命が低減する割合を示す指数を前記充放電サイクル毎の充電量及び放電量対応に記憶装置に記憶し、
前記二次電池の前回の充放電サイクルまでの充放電サイクル毎の充電量及び放電量を算出し、
前記前回の充放電サイクルまでの各充放電サイクルで算出された充電量及び放電量で前記記憶装置を参照し算出された前記充電量及び放電量に対応する指数を取得し、
前記前回の充放電サイクルまでの充放電サイクル毎に取得された指数と前記二次電池の最大寿命とに基づいて算出された前回の充放電サイクル後の前記二次電池の残り寿命を算出し、
前記二次電池の今回の充放電サイクルまでの充放電サイクル毎の充電量及び放電量を算出し、
前記今回の充放電サイクルまでの各充放電サイクルで算出された充電量及び放電量で前記記憶装置を参照し算出された前記充電量及び放電量に対応する指数を取得し、
前記今回の充放電サイクルまでの充放電サイクル毎に取得された指数と前記二次電池の最大寿命とに基づいて算出された今回の充放電サイクル後の前記二次電池の残り寿命を算出し、
算出された前記前回の充放電サイクル後の前記二次電池の残り寿命から算出された前記今回の充放電サイクル後の前記二次電池の残り寿命を差し引いて求めることを特徴とする請求項３又は４記載の二次電池の使用可能時間算出方法。
【請求項７】
充電と放電の充放電サイクルを繰り返しながら使用する二次電池の寿命を判定する二次電池寿命判定装置であって、
前記二次電池の充放電サイクルの放電毎に前記二次電池を完全に充電することを条件とした場合の、前記二次電池の充放電サイクルの放電量対応に予め測定された前記二次電池の寿命が低減する割合を示す指数を前記充放電サイクル毎の放電量対応に記憶する第１の記憶手段と、
前記二次電池の充放電サイクル毎の放電量を算出する第１の放電量算出手段と、
該第１の放電量算出手段で算出された放電量で前記第１の記憶手段を参照して算出された当該放電量に対応する指数を取得する第１の指数取得手段と、
今回の充放電サイクルまでの充放電サイクル毎に前記第１の指数取得手段により取得された指数と前記二次電池の最大寿命とに基づいて、前記今回の充放電サイクル後の前記二次電池の残り寿命を算出する第１の寿命算出手段と、
該第１の寿命算出手段で算出された残り寿命が予め決められた基準値より小さいか否かを判定し、該判定の結果「小さい」と判定されたとき寿命が尽きたと判定する第１の判定手段とを備えたことを特徴とする二次電池寿命判定装置。
【請求項８】
充電と放電の充放電サイクルを繰り返しながら使用する二次電池の寿命を判定する二次電池寿命判定装置であって、
前記二次電池の充放電サイクルの充電量及び放電量対応に予め測定された前記二次電池の寿命が低減する割合を示す指数を前記充放電サイクル毎の充電量及び放電量対応に記憶する第２の記憶手段と、
前記二次電池の充放電サイクル毎の充電量及び放電量を算出する第１の充電量／放電量算出手段と、
該第１の充電量／放電量算出手段で算出された前記充電量及び放電量で前記第２の記憶手段を参照して算出された前記充電量及び放電量に対応する指数を取得する第２の指数取得手段と、
今回の充放電サイクルまでの充放電サイクル毎に前記第２の指数取得手段により取得された指数と前記二次電池の最大寿命とに基づいて、今回の充放電サイクル後の前記二次電池の残り寿命を算出する第２の寿命算出手段と、
該第２の寿命算出手段で算出された残り寿命が予め決められた基準値より小さいか否かを判定し、該判定の結果「小さい」と判定されたとき寿命が尽きたと判定する第２の判定手段とを備えたことを特徴とする二次電池寿命判定装置。
【請求項９】
充電と放電の充放電サイクルを繰り返しながら使用する二次電池の今回の充放電サイクル後の前記二次電池の寿命が来るまでに残された使用可能時間を算出する二次電池の使用可能時間算出装置であって、
前記二次電池の今回の充放電サイクル終了時点における前記二次電池の残り寿命を算出する残り寿命算出手段と、
前記二次電池の初回の充放電サイクルから今回の充放電サイクルまでの各充放電サイクル毎の寿命消耗量の和を充放電サイクル数で除した平均寿命消耗量を算出する平均寿命消耗量算出手段と、
前記二次電池の最初の充放電サイクルから今回の充放電サイクルまでの平均使用時間を算出する平均使用時間算出手段と、
算出された前記二次電池の残り寿命、前記平均寿命消耗量及び前記平均使用時間に基づいて今回の充放電サイクル後の前記二次電池の寿命が来るまでに残された使用可能時間を算出する使用可能時間出力手段とを備えたことを特徴とする二次電池の使用可能時間算出装置。
【請求項１０】
前記残り寿命算出手段で算出される前記二次電池の残り寿命は、前記二次電池の最大寿命から今回の充放電サイクルまでの充放電サイクル毎の寿命消耗量を差し引いた値であることを特徴とする請求項９記載の二次電池の使用可能時間算出装置。
【請求項１１】
前記平均寿命消耗量算出手段は、前記二次電池の充放電サイクルの放電毎に完全に充電することを条件とした場合の、前記二次電池の充放電サイクルの放電量対応に予め測定された前記二次電池の寿命が低減する割合を示す指数を前記充放電サイクル毎の放電量対応に記憶する第３の記憶手段と、
前記二次電池の充放電サイクル毎の放電量を算出する第２の放電量算出手段と、
該第２の放電量算出手段により算出された放電量で前記第３の記憶手段を参照して算出された前記放電量に対応する指数を取得する第３の指数取得手段と、
前回の充放電サイクルまでの充放電サイクル毎に前記第３の指数取得手段により取得された指数と前記二次電池の最大寿命とに基づいて算出した前記前回の充放電サイクル後の前記二次電池の残り寿命と、今回の充放電サイクルまでの充放電サイクル毎に前記第３の指数取得手段により取得された指数と前記二次電池の最大寿命とに基づいて算出した前記今回の充放電サイクル後の前記二次電池の残り寿命との差を出力する第１の差出力手段とを備えたことを特徴とする請求項９記載の二次電池の使用可能時間算出装置。
【請求項１２】
前記平均寿命消耗量算出手段は、前記二次電池の充放電サイクルの充電量及び放電量対応に予め測定された前記二次電池の寿命が低減する割合を示す指数を前記充放電サイクル毎の充電量及び放電量対応に記憶する第４の記憶手段と、
前記二次電池の充放電サイクル毎の充電量及び放電量を算出する第２の充電量／放電量算出手段と、
該第２の充電量／放電量算出手段で算出された充電量及び放電量で前記第４の記憶手段を参照して算出された前記充電量及び放電量に対応する指数を取得する第４の指数取得手段と、
前回の充放電サイクルまでの充放電サイクル毎に前記第４の指数取得手段により取得された指数と前記二次電池の最大寿命とに基づいて算出された前回の充放電サイクル後の前記二次電池の残り寿命と、今回の充放電サイクルまでの充放電サイクル毎に前記第４の指数取得手段により取得された指数と前記二次電池の最大寿命とに基づいて算出された今回の充放電サイクル後の前記二次電池の残り寿命との差を出力する第２の差出力手段とを備えたことを特徴とする請求項９記載の二次電池の使用可能時間算出装置。
【請求項１３】
コンピュータに請求項１又は２記載の二次電池寿命判定方法を実行させるための二次電池寿命判定プログラムを記録した記録媒体。
【発明の詳細な説明】
【０００１】
【発明の属する技術分野】
この発明は、電池寿命情報出力方法及び装置並びに電池寿命情報出力プログラムを記録した記録媒体に関する。
【０００２】
【従来の技術】
情報機器、情報携帯端末等では、その電源として二次電池が充電器装備で又は未装備で用いられている。その二次電池は、その形式にも依存するが、充電してからの期間が長くなると、その寿命となり情報機器等が使用し得なくなるから、寿命を予め判定して情報機器等の使用に支障を来さないようにすることが不可欠である。特に、揮発性メモリを使用している情報携帯端末、パーソナルコンピュータ等においては、その駆動電源の喪失により、揮発性メモリに記憶されている情報が失われるから、その必要性が特に高い。
【０００３】
電池の寿命を判定する装置の例としては、例えば、特開平７−２０１３７０号公報に記載される装置がある。
この公報記載の装置は、充電電流、充電時間、充電開始時電圧、充電終了時電圧及び充電回数からなる充電データを充電データ記録部１に記録し、二次電池の基礎パラメータを基礎パラメータ記録部２に記録し、充電データ記録部１及び基礎パラメータ記録部２の両データを判定部３に送り込んで電池の寿命を判定するものである。
【０００４】
また、電池の寿命を判定する装置の他の例としては、特開平３−１７９６６号公報に記載される装置がある。
この装置は、車載の蓄電池の寿命を判定するもので、蓄電池１を電気自動車に搭載した状態において、蓄電池１の特性、使用環境、履歴等のデータをＲＡＭ８−６に書き込んだ後、装置を電気自動車から取り外し、その装置をそのインタフェース回路８−５を介して外部コンピュータに接続してその外部コンピュータにおいて、ＲＡＭ８−６のデータに過去のデータを考慮に入れた時系列的な解析を行って得られたデータをインタフェース回路８−５を介してＲＡＭ８−６に書き込む。その装置を電気自動車に取り付け、電気自動車の走行中に必要に応じて、ＲＡＭ８−６のデータを読み出し、読み出したデータとインタフェース回路８−１を介して得られるリアルタイムのデータ（特性、使用環境、履歴等のデータ）と比較して蓄電池１の劣化状態、すなわち、寿命を判定するものである。
したがって、いずれ公報記載の装置も、二次電池、蓄電池に係る時系列的な履歴情報等に基づいて寿命を判定している。
【０００５】
【発明が解決しようとする課題】
しかしながら、前記いずれ公報記載の装置も、二次電池、蓄電池に係る時系列的な履歴情報等に基づいて寿命を判定してはいるというものの、寿命の判定を行うのに必要な二次電池、蓄電池の寿命判定に考慮しなければならない要因が、まだ、あるのにも拘らず、それらの寿命判定に必要な要因が考慮に入れられていないので、寿命のより正確な判定が得られないという問題がある。
【０００６】
この発明は、上述の事情に鑑みてなされたもので、情報携帯端末等の二次電池の寿命乃至使用可能時間をより正確に報知し得る電池寿命情報出力方法及び装置並びに二次電池寿命情報出力プログラムを記録した記録媒体を提供することを目的としている。
【０００７】
【課題を解決するための手段】
上記課題を解決するために、請求項１記載の発明は、充電と放電の充放電サイクルを繰り返しながら使用する二次電池の寿命を判定する二次電池寿命判定方法に係り、前記二次電池の充放電サイクルの放電毎に前記二次電池を完全に充電することを条件とした場合の、前記二次電池の充放電サイクルの放電量対応に予め測定された前記二次電池の寿命が低減する割合を示す指数を前記充放電サイクル毎の放電量対応に記憶装置に記憶し、前記二次電池の充放電サイクル毎の放電量を算出し、算出された前記放電量で前記記憶装置を参照し算出された前記放電量に対応する前記指数を取得し、前記二次電池の今回の充放電サイクルまでの充放電サイクル毎に取得された指数と前記二次電池の最大寿命とに基づいて、前記今回の充放電サイクル後の前記二次電池の残り寿命を算出し、算出された残り寿命が予め決められた基準値よりも「小さい」か否かを判定し、該判定の結果「小さい」と判定されたとき寿命が尽きたと判定することを特徴としている。
【０００８】
請求項２記載の発明は、充電と放電の充放電サイクルを繰り返しながら使用する二次電池の寿命を判定する二次電池寿命判定方法に係り、前記二次電池の充放電サイクルの充電量及び放電量対応に予め測定された前記二次電池の寿命が低減する割合を示す指数を前記充放電サイクル毎の充電量及び放電量対応に記憶装置に記憶し、前記二次電池の充放電サイクル毎の充電量及び放電量を算出し、算出された前記充電量及び放電量で前記記憶装置を参照し算出された前記充電量及び放電量に対応する指数を取得し、前記二次電池の今回の充放電サイクルまでの充放電サイクル毎に取得された指数と前記二次電池の最大寿命とに基づいて、前記今回の充放電サイクル後の前記二次電池の残り寿命を算出し、算出された残り寿命が予め決められた基準値より小さいか否かを判定し、該判定の結果「小さい」と判定されたとき寿命が尽きたと判定することを特徴としている。
【０００９】
請求項３記載の発明は、充電と放電の充放電サイクルを繰り返しながら使用する二次電池の今回の充放電サイクル後の前記二次電池の寿命が来るまでに残された使用可能時間を算出する二次電池の使用可能時間算出方法に係り、前記二次電池の今回の充放電サイクル終了時点における前記二次電池の残り寿命を算出し、前記二次電池の初回の充放電サイクルから今回の充放電サイクルまでの各充放電サイクル毎の寿命消耗量の和を充放電サイクル数で除した平均寿命消耗量を算出し、前記二次電池の最初の充放電サイクルから今回の充放電サイクルまでの平均使用時間を算出し、算出された前記二次電池の残り寿命、前記平均寿命消耗量及び前記平均使用時間に基づいて今回の充放電サイクル後の前記二次電池の寿命が来るまでに残された使用可能時間を算出することを特徴としている。
【００１０】
請求項４記載の発明は、請求項３記載の二次電池の使用可能時間算出方法に係り、前記二次電池の残り寿命は、前記二次電池の最大寿命から今回の充放電サイクルまでの充放電サイクル毎の寿命消耗量を差し引いた値であることを特徴としている。
【００１１】
請求項５の記載の発明は、請求項３又は４記載の二次電池の使用可能時間算出方法に係り、前記寿命消耗量は、前記二次電池の充放電サイクルの放電毎に前記二次電池を完全に充電することを条件とした場合の、前記二次電池の充放電サイクルの放電量対応に予め測定された前記二次電池の寿命が低減する割合を示す指数を前記充放電サイクル毎の放電量対応に記憶装置に記憶し、前記二次電池の前回の充放電サイクルまでの充放電サイクル毎の放電量を算出し、前記前回の充放電サイクルまでの各充放電サイクルで算出された放電量で前記記憶装置を参照し算出された当該放電量に対応する指数を取得し、前記前回の充放電サイクルまでの充放電サイクル毎に取得された指数と前記二次電池の最大寿命とに基づいて算出された前記前回の充放電サイクル後の前記二次電池の残り寿命を算出し、前記二次電池の今回の充放電サイクルまでの充放電サイクル毎の放電量を算出し、前記今回の充放電サイクルまでの各充放電サイクルで算出された放電量で前記記憶装置を参照し算出された当該放電量に対応する指数を取得し、前記今回の充放電サイクルまでの充放電サイクル毎に取得された指数と前記二次電池の最大寿命とに基づいて算出された前記今回の充放電サイクル後の前記二次電池の残り寿命を算出し、算出された前記前回の充放電サイクル後の前記二次電池の残り寿命から算出された前記今回の充放電サイクル後の前記二次電池の残り寿命を差し引いて求めることを特徴としている。
【００１２】
請求項６記載の発明は、請求項３又は４記載の二次電池の使用可能時間算出方法に係り、前記寿命消耗量が、前記二次電池の充放電サイクルの充電量及び放電量対応に予め測定された前記二次電池の寿命が低減する割合を示す指数を前記充放電サイクル毎の充電量及び放電量対応に記憶装置に記憶し、前記二次電池の前回の充放電サイクルまでの充放電サイクル毎の充電量及び放電量を算出し、前記前回の充放電サイクルまでの各充放電サイクルで算出された充電量及び放電量で前記記憶装置を参照し算出された前記充電量及び放電量に対応する指数を取得し、前記前回の充放電サイクルまでの充放電サイクル毎に取得された指数と前記二次電池の最大寿命とに基づいて算出された前回の充放電サイクル後の前記二次電池の残り寿命を算出し、前記二次電池の今回の充放電サイクルまでの充放電サイクル毎の充電量及び放電量を算出し、前記今回の充放電サイクルまでの各充放電サイクルで算出された充電量及び放電量で前記記憶装置を参照し算出された前記充電量及び放電量に対応する指数を取得し、前記今回の充放電サイクルまでの充放電サイクル毎に取得された指数と前記二次電池の最大寿命とに基づいて算出された今回の充放電サイクル後の前記二次電池の残り寿命を算出し、算出された前記前回の充放電サイクル後の前記二次電池の残り寿命から算出された前記今回の充放電サイクル後の前記二次電池の残り寿命を差し引いて求めることを特徴としている。
【００１３】
また、請求項７記載の発明は、充電と放電の充放電サイクルを繰り返しながら使用する二次電池の寿命を判定する二次電池寿命判定装置に係り、前記二次電池の充放電サイクルの放電毎に前記二次電池を完全に充電することを条件とした場合の、前記二次電池の充放電サイクルの放電量対応に予め測定された前記二次電池の寿命が低減する割合を示す指数を前記充放電サイクル毎の放電量対応に記憶する第１の記憶手段と、前記二次電池の充放電サイクル毎の放電量を算出する第１の放電量算出手段と、該第１の放電量算出手段で算出された放電量で前記第１の記憶手段を参照して算出された当該放電量に対応する指数を取得する第１の指数取得手段と、今回の充放電サイクルまでの充放電サイクル毎に前記第１の指数取得手段により取得された指数と前記二次電池の最大寿命とに基づいて、前記今回の充放電サイクル後の前記二次電池の残り寿命を算出する第１の寿命算出手段と、該第１の寿命算出手段で算出された残り寿命が予め決められた基準値より小さいか否かを判定し、該判定の結果「小さい」と判定されたとき寿命が尽きたと判定する第１の判定手段とを備えたことを特徴としている。
【００１４】
請求項８記載の発明は、充電と放電の充放電サイクルを繰り返しながら使用する二次電池の寿命を判定する二次電池寿命判定装置に係り、前記二次電池の充放電サイクルの充電量及び放電量対応に予め測定された前記二次電池の寿命が低減する割合を示す指数を前記充放電サイクル毎の充電量及び放電量対応に記憶する第２の記憶手段と、前記二次電池の充放電サイクル毎の充電量及び放電量を算出する第１の充電量／放電量算出手段と、該第１の充電量／放電量算出手段で算出された前記充電量及び放電量で前記第２の記憶手段を参照して算出された前記充電量及び放電量に対応する指数を取得する第２の指数取得手段と、今回の充放電サイクルまでの充放電サイクル毎に前記第２の指数取得手段により取得された指数と前記二次電池の最大寿命とに基づいて、今回の充放電サイクル後の前記二次電池の残り寿命を算出する第２の寿命算出手段と、該第２の寿命算出手段で算出された残り寿命が予め決められた基準値より小さいか否かを判定し、該判定の結果「小さい」と判定されたとき寿命が尽きたと判定する第２の判定手段とを備えたことを特徴としている。
【００１５】
請求項９記載の発明は、充電と放電の充放電サイクルを繰り返しながら使用する二次電池の今回の充放電サイクル後の前記二次電池の寿命が来るまでに残された使用可能時間を算出する二次電池の使用可能時間算出装置に係り、前記二次電池の今回の充放電サイクル終了時点における前記二次電池の残り寿命を算出する残り寿命算出手段と、前記二次電池の初回の充放電サイクルから今回の充放電サイクルまでの各充放電サイクル毎の寿命消耗量の和を充放電サイクル数で除した平均寿命消耗量を算出する平均寿命消耗量算出手段と、前記二次電池の最初の充放電サイクルから今回の充放電サイクルまでの平均使用時間を算出する平均使用時間算出手段と、算出された前記二次電池の残り寿命、前記平均寿命消耗量及び前記平均使用時間に基づいて今回の充放電サイクル後の前記二次電池の寿命が来るまでに残された使用可能時間を算出する使用可能時間出力手段とを備えたことを特徴としている。
【００１６】
請求項１０記載の発明は、請求項９記載の二次電池の使用可能時間算出装置に係り、前記残り寿命算出手段で算出される前記二次電池の残り寿命は、前記二次電池の最大寿命から今回の充放電サイクルまでの充放電サイクル毎の寿命消耗量を差し引いた値であることを特徴としている。
【００１７】
請求項１１記載の発明は、請求項９記載の二次電池の使用可能時間算出装置に係り、前記平均寿命消耗量算出手段が、前記二次電池の充放電サイクルの放電毎に完全に充電することを条件とした場合の、前記二次電池の充放電サイクルの放電量対応に予め測定された前記二次電池の寿命が低減する割合を示す指数を前記充放電サイクル毎の放電量対応に記憶する第３の記憶手段と、前記二次電池の充放電サイクル毎の放電量を算出する第２の放電量算出手段と、該第２の放電量算出手段により算出された放電量で前記第３の記憶手段を参照して算出された前記放電量に対応する指数を取得する第３の指数取得手段と、前回の充放電サイクルまでの充放電サイクル毎に前記第３の指数取得手段により取得された指数と前記二次電池の最大寿命とに基づいて算出した前記前回の充放電サイクル後の前記二次電池の残り寿命と、今回の充放電サイクルまでの充放電サイクル毎に前記第３の指数取得手段により取得された指数と前記二次電池の最大寿命とに基づいて算出した前記今回の充放電サイクル後の前記二次電池の残り寿命との差を出力する第１の差出力手段とを備えたことを特徴としている。
【００１８】
また、請求項１２記載の発明は、請求項９記載の二次電池の使用可能時間算出装置に係り、前記平均寿命消耗量算出手段が、前記二次電池の充放電サイクルの充電量及び放電量対応に予め測定された前記二次電池の寿命が低減する割合を示す指数を前記充放電サイクル毎の充電量及び放電量対応に記憶する第４の記憶手段と、前記二次電池の充放電サイクル毎の充電量及び放電量を算出する第２の充電量／放電量算出手段と、該第２の充電量／放電量算出手段で算出された充電量及び放電量で前記第４の記憶手段を参照して算出された前記充電量及び放電量に対応する指数を取得する第４の指数取得手段と、前回の充放電サイクルまでの充放電サイクル毎に前記第４の指数取得手段により取得された指数と前記二次電池の最大寿命とに基づいて算出された前回の充放電サイクル後の前記二次電池の残り寿命と、今回の充放電サイクルまでの充放電サイクル毎に前記第４の指数取得手段により取得された指数と前記二次電池の最大寿命とに基づいて算出された今回の充放電サイクル後の前記二次電池の残り寿命との差を出力する第２の差出力手段とを備えたことを特徴としている。
【００１９】
請求項１３記載の発明は、記録媒体に係り、コンピュータに請求項１又は２記載の二次電池寿命判定方法を実行させるための二次電池寿命判定プログラムを記録していることを特徴としている。
【００２０】
【発明の実施の形態】
以下、図面を参照して、この発明の実施の形態について説明する。説明は、実施例を用いて具体的に行う。
◇第１実施例
図１は、この発明の第１実施例である二次電池寿命判定装置の電気的構成を示すブロック図、図２は、同二次電池寿命判定装置で用いる副電池の副電池センス信号を出力する回路を示す図、図３は、同二次電池寿命判定装置の二次電池寿命判定処理手順を示すフローチャートの一部、図４は、同二次電池寿命判定装置の二次電池寿命判定処理手順を示すフローチャートの残部、また、図５は、二次電池寿命判定に用いる電池特性テーブルを示す図である。
【００２１】
この実施例の二次電池寿命判定装置は、情報携帯端末における二次電池（副電池）の放電の都度の放電量及び予め決められた寿命影響指数（放電毎に二次電池の寿命が低減する割合を示す指数）に基づいて二次電池の寿命を出力する装置に係り、情報携帯端末２の二次電池寿命判定装置１０は、図１に示すように、主電池１２、副電池１４、接触端子１８、充電回路２０、ＤＣ／ＤＣ変換回路２２、タイマ回路２４、制御回路（コンピュータ）２６、キーボード２８、ＲＡＭ３０、ＲＯＭ３２、ＦＲＯＭ３４、液晶表示器（ＬＣＤ（Ｌｉｑｕｉｄ  Ｃｒｙｓｔａｌ  Ｄｅｖｉｃｅ  ））３６、及び液晶表示器３６の表示面上に載置して用いられるタッチパネル３８から概略構成されている。主電池１２は、二次電池であり、副電池１４は、ＲＡＭ３０のバックアップ用の二次電池である。また、カレンダ電池１６も、二次電池である。
なお、図１に示すＰＣＭＣＩＡコントローラ４２、平板型フラシュＲＯＭ（ＣＦ（Ｃｏｍｐａｃｔ  Ｆｌａｓｈ  ＲＯＭ））４４、ＰＣＭＣＩＡ４６、、通信回路５２、光素子５４、及び通信コネクタ５６は、実施例の発明に関係しない情報携帯端末２の構成要素の各々である。ＰＣＭＣＩＡコントローラ４２、ＣＦ３８及びＰＣＭＣＩＡ４０は、ＣＦ３８に書き込まれているアプリケーションプログラムの実行に用いられ、各種のイベントの発生をするものである。プリンタ制御回路４８及びプリンタ５０は、ＬＣＤ３６に表示されているデータの印刷やメモリ３０のデータ（検針の伝票等）の印刷を行うものである。通信回路５２は、光素子５４で赤外線の送受信で入出力されるデータ及び通信コネクタ５６に接続されるパーソナルコンピュータ等との間の送受信で入出力されるデータの授受の制御に用いられるものである。
【００２２】
主電池１２、副電池１４及びカレンダ電池１６の正電極及び負電極は、充電回路２０の正電極及び負電極と並列に接続されると共に、ＤＣ／ＤＣ変換回路２２の正電極及び負電極と並列に接続されている。ＤＣ／ＤＣ変換回路２２は、充電回路２０と主電池１２、副電池１４及びカレンダ電池１６を区別してＤＣ／ＤＣ変換し得るもので、その区別してＤＣ／ＤＣ変換していることを示す信号をタイマ回路２４に供給するように構成されている。したがって、タイマ回路２４は、各ＤＣ／ＤＣ変換毎のカウント動作を行う。充電回路２０の正電極及び負電極は、また、それぞれ接触端子１８の正電極及び負電極に接続されている。副電池１４には、図２に示すように、正電極（Ｖｉｎ−ｏｕｔ）１４Ｐ及び負電極（ＧＮＤ）１４Ｎがあるほか、副電池センス信号出力１４Ｓがある。
【００２３】
ＤＣ／ＤＣ変換回路２２は、図１ではタイマ回路２４及び制御回路２６にのみにしか接続されていないように示されているが、情報携帯端末２を構成し給電を要する他の各被給電部にも接続されていることは、言うまでもないが、図面内を輻輳させないため、その接続の各々は、図示してない。
ＤＣ／ＤＣ変換回路２２は、接触端子１８にＡＣアダプタ（図示せず）が接続されて外部給電になる場合には、充電回路２０を介して供給される直流をＤＣ／ＤＣ変換して情報携帯端末２の各被給電部に給電するが、接触端子１８にＡＣアダプタが接続されないで内部給電となる場合には、主電池１２、副電池１４及びカレンダ電池１６からの直流をＤＣ／ＤＣ変換して情報携帯端末２の各被給電部に給電する。
【００２４】
ＲＯＭ３２は、図３及び図４に示す二次電池寿命判定処理手順の処理を行うプログラムが記憶されており、ＦＲＯＭ３４は、図５に示す電池特性テーブルが記憶されている。電池特性テーブル中の寿命影響指数は、情報携帯端末の使用に先だって、副電池が完全に充電されることを条件にして、予め実験によって求めて置く値である。寿命影響指数は、例えば、％であってもよいし、割合であってもよい。
制御回路（コンピュータ）２６は、ＲＯＭ３２からプログラムを読み出して読み出されたプログラムをコンピュータで実行することにより、図３及び図４に示す二次電池寿命判定処理手順の処理を行う。
キーボード２８又はタッチパネル３８及び液晶表示器３６は、制御回路２６による図３及び図４に示す二次電池寿命判定処理手順の処理を行うに際して、電源入り又は電源切りの指示、レジュームの設定、副二次電池寿命の確認要求の入力等に用いられる。
【００２５】
次に、図１乃至図５を参照して、この実施例の動作について説明する。
今回の使用（充放電サイクル）における副電池の寿命の判定処理の開始に際して、電源入りの指示（この指示は本体電源の投入の指示でもある）がキーボード２８から入力される（図３のステップＳＡ１）。そして、副電池センス信号の取り込みを行う（ステップＳＡ２）。取り込まれた副電池センス信号により、副電池１４の装着の有無判定を行う（ステップＳＡ３）。
副電池１４が装着されていない場合には（ステップＳＡ３のＮＯ）、レジューム設定の有無を判定する（ステップＳＡ４）。レジューム設定の有りの場合は（ステップＳＡ４のＹＥＳ）、副電池の未装着を警告する（ステップＳＡ５）。レジューム設定の無しの場合は（ステップＳＡ４のＮＯ）、電源切りの指示（メモリ以外の給電部のための電源を切る指示）をキーボード２８から行う（ステップＳＡ１４）。
【００２６】
副電池１４が装着されている場合には（ステップＳＡ３のＹＥＳ）、ＦＲＯＭ３４を参照して副電池１４の寿命フラグが設定されているか否かの判定を行う（ステップＳＡ６）。寿命フラグは、情報携帯端末を構成する副電池１４についての前回の寿命判定結果（後述）を制御回路２６の制御の下にＦＲＯＭ３４に設定したものである。寿命フラグが設定されている（例えば、寿命フラグのビットが“１″である）ならば（ステップＳＡ６のＹＥＳ）、副電池の寿命を警告する（ステップＳＡ７）。
【００２７】
寿命フラグが設定されていない（例えば、寿命フラグのビットが“０″である）ならば（ステップＳＡ６のＮＯ）、副電池の装着時刻の取込みを行う（ステップＳＡ８）。この副電池の装着時刻の取込みの処理は、情報携帯端末に装備されているカレンダの時刻を制御回路２６の制御の下にＦＲＯＭ３４に書き込むことによって行う。なお、カレンダに時間的なずれが生じている、すなわち、設定変更を要する場合には（ステップＳＡ９のＹＥＳ）、そのカレンダの時刻を修正して（ステップＳＡ１０）前記副電池の装着時刻の取込みの処理を行う。
【００２８】
設定変更を要しない場合には（ステップＳＡ９のＮＯ）、イベントの入力があるか否かの判定を行う（ステップＳＡ１１）。イベントには、各種のイベントがあり、それらのイベントは、キーボード２８やタッチパネル４４の操作によって生ぜしめられる。イベントの入力が必要で無くなった場合には（ステップＳＡ１１のＮＯ）、キーボード２８から電源切りの指示（メモリ以外の給電部のための電源を切る指示）が入力されたか否かの判定を行い（ステップＳＡ１２）、判定が否定であるとき（ステップＳＡ１２のＮＯ）、ステップＳＡ１１に戻る。判定が肯定であるとき（ステップＳＡ１２のＹＥＳ）、オペレーティングシステムによって情報携帯端末本体の電源遮断を行って（ステップＳＡ１３）情報携帯端末の処理を終了する。
【００２９】
これに対して、イベントの入力が判定され（図３のステップＳＡ１１のＹＥＳ）、そのイベントが副電池の寿命確認のイベントであるか否かの判定を行ったとき（ステップＳＡ１１１）、イベントが副電池の寿命確認のイベントでないとき（ステップＳＡ１１１のＮＯ）、ステップＳＡ１１の処理に入る。
【００３０】
イベントが副電池の寿命確認のイベントであるとき（ステップＳＡ１１１のＹＥＳ）、放電量の算出を行う（ステップＳＡ１１２）。ステップＳＡ３で確認した装着時刻からステップＳＡ１１２までの経過時間をタイマ回路２４でカウントして求める。この経過時間と経過時間中の副電池の電圧及び流出電流とから消費量、すなわち、放電量を算出する。そして、算出した副電池の放電量は、ＦＲＯＭ３４に記憶される。なお、今回の放電量の算出前までの副電池の放電量は、当該放電量の算出の都度、ＦＲＯＭ３４に記憶される。
【００３１】
算出した放電量でＦＲＯＭ３４の電池特性テーブル（図５）を参照して当該放電量に対応した寿命影響指数Ｌｘを求める（ステップＳＡ１１３）。そして、式（１）の値Ｌ１（残り寿命）が予め決められた基準値Ｋより小さいか否かを判定する（寿命の判定をする）（ステップＳＡ１１４）。
Ｌ１＝｛Ｌ１×Ｌ２×…×Ｌｎ｝×Ｌｍａｘ  …（１）
但し、式（１）において、Ｌ１，Ｌ２，…Ｌｎは寿命影響指数であり、Ｌｍａｘは、副電池の最大寿命、例えば、時間である。
寿命の判定が否定である、すなわち、式（１）の値が基準値Ｋより大きい場合には（ステップＳＡ１１４のＮＯ）、ステップＳＡ１１の処理に入る。
【００３２】
寿命の判定が肯定である、すなわち、式（１）の値がしきい値Ｋより小さい場合には（ステップＳＡ１１４のＹＥＳ）、寿命の警告を行う（ステップＳＡ１１５）。そして、ステップＳＡ１４の処理に入る。
【００３３】
このように、この実施例の構成によれば、電源入りの指示で副電池の消費（放電）が始まり、その放電の開始の都度、当該放電の開始時刻を取り込み、当該放電の続行中に副電池の寿命確認のイベントが入力されると、取り込んだ放電の開始時刻からの放電量を算出する。算出した放電量に対する寿命影響指数を算出（取得）し、今回の消費前までの各寿命影響指数及び今回の寿命影響指数と副電池の最大寿命とに基づいて、副電池の寿命が来ているか否かの判定を行い、寿命が来ているならば、その警告（通知）を行うようにしたので、情報携帯端末に装備されている資源を増大させること無しに、すなわち、情報携帯端末のコストの増大無しに、副電池の寿命を報知することができ、主電池のバックアップとして設けられている副電池の寿命のより正確な判定をすることが可能となる。
したがって、副電池の交換時期の報知を適切に行うことができるので、揮発性記憶素子を内蔵する情報携帯端末の副電池の寿命を不注意により看過してしまうことから発生する重要な情報の喪失という事態の発生をより完全に防止することができて情報携帯端末の円滑な運用に資するところが大きい。
【００３４】
◇第２実施例
図６は、この発明の第２実施例である二次電池寿命判定装置の電気的構成を示すブロック図、図７は、同二次電池寿命判定装置で用いられる電池可特性テーブルを示す図、図８は、同二次電池寿命判定装置の二次電池寿命判定処理手順を示すフローチャートの一部、また、図９は、同二次電池寿命判定装置の二次電池寿命判定処理手順を示すフローチャートの残部である。
この実施例の構成が、第１実施例のそれと大きく異なるところは、放電量に充電量を加味して副電池の寿命を報知するようにした点である。
すなわち、電池特性テーブルを図７に示すように、放電量及び充電量で副電池の寿命影響指数を求める構成とし、図４に示すステップＳＡ１１２の放電量の算出を図９に示すステップＳＢ１１２のように、充電量及び放電量の算出を行うように構成したものである。
したがって、図７に示す電池特性テーブルは、ＦＲＯＭ３４Ａに格納され、図８及び図９に示すフローチャートの二次電池寿命判定処理手順を実行するプログラムは、図６に示すＲＯＭ３２Ａに格納されている。この実施例の情報携帯端末を参照番号２Ａで参照する。
なお、これ以外の点では、この実施例の構成は、第１実施例と同一構成であるので、図６においては、図１の構成部分と同一の各部には同一の符号を付してその説明を省略する。
【００３５】
次に、図６乃至図９を参照して、この実施例の動作について説明する。
この実施例での今回の使用における副電池の寿命の判定処理の開始に際して、電源入りの指示（本体電源の投入）がキーボード２８から入力されてから（図８のステップＳＢ１）イベントの入力の有無の判定（ステップＳＢ１１）までの処理は、第１実施例と同じである。すなわち、図８のステップＳＢ１乃至ステップＳＢ１１の処理は、図３のステップＳＡ１乃至すてＳＡ１１までの処理と同じである。
【００３６】
設定変更を要しない場合には（ステップＳＢ９のＮＯ）、イベントの入力があるか否かの判定を行う（ステップＳＢ１１）。イベントには、各種のイベントがあり、それらのイベントは、キーボード２８やタッチパネル３８の操作によって生ぜしめられる。イベントの入力が必要で無くなった場合には（ステップＳＢ１１のＮＯ）、キーボード２８から電源切りの指示が入力されたか否かの判定を行い（ステップＳＢ１２）、判定が否定であるとき（ステップＳＢ１２のＮＯ）、ステップＳＢ１１に戻る。また、判定が肯定であるとき（ステップＳＢ１２のＹＥＳ）、情報携帯端末本体の電源遮断を行って（ステップＳＢ１３）情報携帯端末の処理を終了する。
【００３７】
これに対して、イベントの入力が判定され（ステップＳＢ１１のＹＥＳ）、そのイベントが副電池の寿命確認のイベントであるか否かの判定を行ったとき（ステップＳＢ１１１）、イベントが副電池の寿命確認のイベントでないとき（ステップＳＢ１１１のＮＯ）、ステップＳＢ１１の処理に入る。
【００３８】
イベントが副電池の寿命確認のイベントであるとき（ステップＳＢ１１１のＹＥＳ）、充電／放電履歴の確認、すなわち、充電量及び放電量の算出を行う（ステップＳＢ１１２）。前回の使用後の携帯情報端末本体の電源の遮断から充電回路２０によって副電池の充電動作が開始されてから当該充電動作が停止するまでの充電時間をタイマ回路２４でカウントして求める。この充電時間と当該充電時間中の副電池の電圧及び流出電流とから充電量を算出する。また、ステップＳＢ３で確認した装着時刻からステップＳＢ１１２までの経過時間をタイマ回路２４でカウントして求める。この経過時間と当該経過時間中の副電池の電圧及び流出電流とから放電量を算出する。そして、算出した副電池の充電量及び放電量は、ＦＲＯＭ３４に記憶される。なお、今回の充電量及び放電量の算出前までの副電池の充電量及び放電量は、当該充電量及び放電量の算出の都度、ＦＲＯＭ３４に記憶される。
【００３９】
算出した充填量及び放電量でＦＲＯＭ３４の電池特性テーブル（図７）を参照して寿命影響指数Ｌｘｘを求める（ステップＳＢ１１３）。そして、式（２）の値  Ｌ２（残り寿命）が予め決められた基準値Ｋより小さいか否かを判定する（寿命の判定をする）（ステップＳＢ１１４）。
Ｌ２＝｛Ｌ１１×Ｌ１２×…×Ｌｎｎ｝×Ｌｍａｘ  …（２）
但し、式（２）において、Ｌ１１，Ｌ１２，…Ｌｎｎは寿命影響指数であり、Ｌｍａｘは、副電池の最大寿命、例えば、時間である。
寿命の判定が否定である、すなわち、式（２）の値が基準値Ｋより大きい場合には（ステップＳＢ１１４のＮＯ）、ステップＳＢ１１の処理に入る。
【００４０】
寿命の判定が肯定である、すなわち、式（２）の値がしきい値Ｋより小さい場合には（ステップＳＢ１１４のＹＥＳ）、寿命の警告を行う（ステップＳＢ１１５）。そして、ステップＳＡ１４の処理に入る。
【００４１】
このように、この実施例の構成によれば、情報携帯端末の使用に先立つ充電回路２０による副電池１４の充電開始からその充電の終了までの時間をタイマ回路２４で計時し、計時した時間及び副電池の電圧及び流入電流から充電量を算出する。電源入りの指示で副電池の消費（放電）が始まり、その放電の開始の都度、当該放電の開始時刻を取り込み、当該放電の続行中に副電池の寿命確認のイベントが入力されると、取り込んだ放電の開始時刻からの放電量を算出する。算出した充電量及び放電量に対する寿命影響指数を算出（取得）し、今回の充電及び放電前までの寿命影響指数及び今回の寿命影響指数と副電池の最大寿命とに基づいて、副電池の寿命が来ているか否かの判定を行い、寿命が来ているならば、その警告（通知）を行うようにしたので、情報携帯端末に装備されている資源の増大無しに、すなわち、情報携帯端末のコストの増大無しに、副電池の寿命を報知することができ、副電池の寿命のより正確な判定をすることが可能となる。
したがって、副電池の交換時期の報知を適切に行うことができるので、揮発性記憶素子を内蔵する情報携帯端末の副電池の寿命を不注意により看過してしまうことから発生する重要な情報の喪失という事態の発生をより完全に防止することができて情報携帯端末の円滑な運用に資するところが大きい。
【００４２】
◇第３実施例
図１０は、この発明の第３実施例である二次電池寿命判定装置の電気的構成を示すブロック図、図１１は、同二次電池寿命判定装置で用いられる電池特性テーブルを示す図、図１２は、同二次電池寿命判定装置の二次電池寿命判定処理手順を示すフローチャートの一部、図１３は、同二次電池寿命判定装置の二次電池寿命判定処理手順を示すフローチャートの一部、図１４は、同二次電池寿命判定装置の二次電池寿命判定処理手順を示すフローチャートの一部、また、図１５は、同二次電池寿命判定装置の二次電池寿命判定処理手順を示すフローチャートの残部である。
【００４３】
この実施例の構成が、第１実施例のそれと大きく異なるところは、バックアップ可能時間の確認のイベントの入力時に放電量に基づいて副電池のバックアップ可能時間を報知するようにした点、並びに副電池の寿命及びバックアップ可能時間を報知し、かつ、レジューム設定がある場合に副電池の使用状況に基づく使用可能時間を報知するようにした点である。
すなわち、電池特性テーブルを図１１に示すように、放電量でバックアップ可能時間を求める構成とし、情報携帯端末の電源入りから電源切りまでのバックアップ可能時間の確認のイベントがあった場合に当該使用回における放電量に基づいて副電池のバックアップ時間を報知し、また、寿命判定時における寿命消耗量及び当該寿命消耗量だけの消費をするのに要した使用時間を各寿命判定毎に記憶し、記憶した各寿命消耗量から１回の平均寿命消耗量及び記憶した各使用時間から１回の平均使用時間を算出した後、副電池の最大寿命、各寿命消耗量、平均寿命消耗量及び平均使用時間に基づいて副電池の寿命が来るまでの使用可能時間を報知するように構成したものである。したがって、図１１に示す電池特性テーブルは、図１０のＦＲＯＭ３４Ｂに格納され、図１２乃至図１５に示すフローチャートの二次電池寿命判定処理手順を実行するプログラムは、ＲＯＭ３２Ｂに格納されている。この実施例の実施例携帯端末を参照番号２Ｂで参照する。
なお、これ以外の点では、この実施例の構成は、第１実施例と同一構成であるので、図１０においては、図１の構成部分と同一の各部には同一の符号を付してその説明を省略する。
【００４４】
次に、図１０乃至図１５を参照して、第３実施例の動作について説明する。
この実施例での今回の使用における副電池の寿命等の判定処理の開始に際して、電源入りの指示（本体電源の投入の指示）がキーボード２８から入力されて（図１２のステップＳＣ１）からイベントが入力される（ステップＳＣ１１）までの処理は、第１実施例と同じであるので、各ステップＳＣ１〜ステップＳＣ１１（図４のステップＳＡ１〜ステップＳＡ１１に相当するステップ）の逐一の説明は省略する。
【００４５】
イベントの入力があって（ステップＳＣ１１のＹＥＳ）、そのイベントが副電池の寿命確認のイベントである場合（図１４のステップＳＣ１１１）の処理は、第１実施例の処理と同じである（ステップＳＣ１１２〜ステップＳＣ１１５）。ステップＳＣ１１４の寿命判定において、寿命がないと判定されたとき（ステップＳＣ１１４のＹＥＳ）、寿命が来ている旨の表示をＬＣＤ３６に表示して（ステップＳＣ１１５）電源切りの指示で電源（メモリ以外の給電部のための電源）を切った後（ステップＳＣ１８）、情報携帯端末本体の電源を遮断する（ステップＳＣ１７）。
【００４６】
ステップＳＣ１１４の寿命判定において、寿命があると判定されたとき（ステップＳＣ１１４のＮＯ）、電源切りの指示の有無の判定が行われる（ステップＳＣ１２）。その指示がなければ（ステップＳＣ１２のＮＯ）、ステップＳＣ１１の処理に入る。前記指示があれば（ステップＳＣ１２のＹＥＳ）、レジューム設定の有無の判定が行われる（ステップＳＣ１３）。レジューム設定がなければ（ステップＳＣ１３のＮＯ）、情報携帯端末本体電源の遮断（ステップＳＣ１７）を行って携帯情報端末の処理を終了する。
【００４７】
レジューム設定があれば（ステップＳＣ１３のＹＥＳ）、今回までの使用履歴を基にして副電池の寿命が来るまでの使用可能時間の確認の有無の判定を行う（ステップＳＣ１４）。使用可能時間の確認がなければ（ステップＳＣ１４のＮＯ）、情報携帯端末本体電源の遮断（ステップＳＣ１７）を行って携帯情報端末の処理を終了する。
使用可能時間の確認があれば（ステップＳＣ１４のＹＥＳ）、使用可能時間の算出を行う（ステップＳＣ１５）。使用可能時間Ｓは、式（３）によって算出する。
Ｓ＝｛（ＬＭＡＸ  −Ｘ）／Ｙ｝×Ｚ  …（３）
但し、式（３）において、ＬＭＡＸ  は副電池の最大寿命、例えば、時間であり、Ｘは当該使用回までの各使用回毎の寿命消耗量の和（Ｘ１＋Ｘ２＋…＋Ｘｎ、Ｘ１は第１回目の使用による寿命消耗量、Ｘ２は第２回目の使用による寿命消耗量、…Ｘｎは第ｎ回目の使用による寿命消耗量である）であり、Ｙは当該使用回までにおける平均減少量Ｘ／ｎであり、Ｚは情報携帯端末の当該使用回までの平均時間である。寿命消耗量は、前回までの残り寿命と今回までの残り寿命との差である。残り寿命は式（１）により求められる。平均時間は、各使用回毎に、電源入りの指示（ステップＳＣ１）から本体電源の遮断（ステップＳＣ１７）までの使用時間をタイマ回路２４で計時し、各使用時間の和を使用回数で除して求める。
算出した使用可能時間をＬＣＤ３６に表示して（ステップＳＣ１６）本体電源の遮断を行って（ステップＳＣ１７）情報携帯端末の処理を終了する。
【００４８】
また、イベントの入力があって（ステップＳＣ１１のＹＥＳ）、そのイベントが副電池の寿命のバックアップ可能時間の確認のイベントである場合には（図１５のステップＳＣ１２１のＹＥＳ）、第１実施例と同様にして当該使用回の放電量を算出する（ステップＳＣ１２２）。算出した放電量でＦＲＯＭ３４Ｂの電池特性テーブル（図１１）を参照してバックアップ可能時間を求める（ステップＳＣ１２３）。そのバックアップ可能時間をＬＣＤ３６に表示する（ステップＳＣ１２４）。
【００４９】
バックアップ可能時間の表示に続いて、副電池の寿命確認の場合と同様に、電源切りの指示の有無の判定が行われる（ステップＳＣ１２）。その指示がなければ（ステップＳＣ１２のＮＯ）、ステップＳＣ１１の処理に入る。前記指示があれば（ステップＳＣ１２のＹＥＳ）、レジューム設定の有無の判定が行われる（ステップＳＣ１３）。
レジューム設定の有無の判定処理に入って使用可能時間の表示を行った後（ステップＳＣ１６）、本体電源の遮断を行って情報携帯端末の処理を終了する。
【００５０】
このように、この実施例の構成によれば、情報携帯端末の各使用毎に、当該使用で生じた寿命消耗量及び使用時間を記憶し、記憶した各寿命消耗量から１回の平均寿命消耗量を算出すると共に記憶した各使用時間から１回の平均使用時間を算出した後、記憶された各寿命消耗量、算出された平均寿命消耗量及び平均使用時間、並びに副電池の最大寿命に基づいて副電池の寿命が来るまでの使用可能時間（寿命予測値）を表示して予測としての副電池に残されている使用可能量を情報携帯端末の使用者に報知することができる。
また、情報携帯端末の各使用毎の放電量を算出し、算出した放電量で電池特性テーブルを参照することにより、当該使用後のバックアップ可能時間を予測することができる。
このような副電池の使用後の使用可能能力を予測して使用者に知らせることができ、電池を適切な時期に交換し得るので、揮発性記憶素子を内蔵する情報携帯端末の不注意による重要な情報の喪失という事態の発生をより完全に防止することができて情報携帯端末の円滑な運用に資するところが大きい。
【００５１】
◇第４実施例
図１６は、この発明の第４実施例である二次電池寿命判定装置の電気的構成を示すブロック図、図１７は、同二次電池寿命判定装置で用いられる電池特性テーブルを示す図、図１８は、同二次電池寿命判定装置の二次電池寿命判定処理手順を示すフローチャートの一部、図１９は、同二次電池寿命判定装置の二次電池寿命判定処理手順を示すフローチャートの一部、図２０は、同二次電池寿命判定装置の二次電池寿命判定処理手順を示すフローチャートの一部、また、図２１は、同二次電池寿命判定装置の二次電池寿命判定処理手順を示すフローチャートの残部である。
【００５２】
この実施例の構成が、第１実施例のそれと大きく異なるところは、バックアップ可能時間の確認のイベントの入力時に放電量及び充電量に基づいて副電池のバックアップ可能時間を報知するようにした点、並びに副電池の寿命の報知及びバックアップ可能時間を報知し、かつ、レジューム設定がある場合に副電池の使用履歴に基づく使用可能時間を報知するようにした点である。
【００５３】
すなわち、電池特性テーブルを図１７に示すように、放電量及び充電量でバックアップ可能時間を求める構成とし、情報携帯端末の使用開始前の充電回路による充電の開始からその終了までの充電量及び情報携帯端末の電源入りから電源切りまでにバックアップ可能時間の確認のイベントの入力があった場合に当該使用における放電量に基づいて副電池のバックアップ時間を報知し、また、寿命判定時における寿命消耗量及び当該寿命消耗量だけの消費をするのに要した使用時間を各寿命判定毎に記憶し、記憶した各寿命消耗量から１回の平均寿命消耗量及び記憶した各使用時間から１回の平均使用時間を算出した後、副電池の最大寿命
、各寿命消耗量、平均寿命消耗量及び平均使用時間に基づいて副電池の寿命が来るまでの使用可能時間を報知するように構成したものである。
したがって、図１７に示す電池特性テーブルは、図１６のＦＲＯＭ３４Ｃに格納され、図１８乃至図２１に示すフローチャートの二次電池寿命判定処理手順を実行するプログラムは、ＲＯＭ３２Ｃに格納されている。この実施例の情報携帯端末を参照番号２Ｃで参照する。
なお、これ以外の点では、この実施例の構成は、第１実施例と同一構成であるので、図１６においては、図１の構成部分と同一の各部には同一の符号を付してその説明を省略する。
【００５４】
次に、図１６乃至図２１を参照して、第４実施例の動作について説明する。
この実施例での今回の使用における副電池の寿命等の判定処理の開始に際して、電源入りの指示（本体電源の投入の指示）がキーボード２８から入力されて（図１８のステップＳＤ１）からイベントが入力されるまで（ステップＳＤ１１）の処理は、第１実施例と同じであるので、各ステップＳＤ１〜ステップＳＤ１１（図４のステップＳＡ１〜ステップＳＡ１１に相当するステップ）の逐一の説明は省略する。
【００５５】
イベントの入力があって（ステップＳＤ１１のＹＥＳ）、そのイベントが副電池の寿命確認のイベントである場合（図２０のステップＳＤ１１１）の処理は、第１実施例の処理と同じである（ステップＳＤ１１２〜ステップＳＤ１１５）。ステップＳＤ１１４の寿命判定において、寿命がないと判定されたとき（ステップＳＤ１１４のＹＥＳ）、寿命が来ている旨の表示をＬＣＤ４２に表示して（ステップＳＤ１１５）電源切りの指示で（ステップＳＤ１７）電源（メモリ以外の給電部への電源）を切った後、情報携帯端末本体の電源を遮断する。
【００５６】
ステップＳＤ１１４の寿命判定において、寿命があると判定されたとき（ステップＳＤ１１４のＮＯ）、電源切りの指示の有無の判定が行われる（ステップＳＤ１２）。その指示がなければ（ステップＳＤ１２のＮＯ）、ステップＳＤ１１の処理に入る。前記指示があれば（ステップＳＤ１２のＹＥＳ）、レジューム設定の有無の判定が行われる（ステップＳＤ１３）。レジューム設定がなければ（ステップＳＤ１３のＮＯ）、情報携帯端末本体電源の遮断（ステップＳＤ１７）を行って携帯情報端末の処理を終了する。
【００５７】
レジューム設定があれば（ステップＳＤ１３のＹＥＳ）、今回までの使用履歴を基にして副電池の寿命が来るまでの使用可能時間の確認の有無の判定を行う（ステップＳＤ１４）。使用可能時間の確認がなければ（ステップＳＤ１４のＮＯ）、情報携帯端末本体電源の遮断を行って携帯情報端末の処理を終了する。
使用可能時間の確認があれば（ステップＳＤ１４のＹＥＳ）、使用可能時間の算出を行う（ステップＳＤ１５）。使用可能時間Ｓは、式（４）によって算出する。
Ｓ＝｛（ＬＭＡＸ  −Ｘ）／Ｙ｝×Ｚ  …（４）
但し、式（４）において、ＬＭＡＸ  は副電池の最大寿命、例えば、時間であり、Ｘは当該使用回までの各使用回毎の寿命消耗量の和（Ｘ１＋Ｘ２＋…＋Ｘｎ、Ｘ１は第１回目の使用による寿命消耗量、Ｘ２は第２回目の使用による寿命消耗量、…Ｘｎは第ｎ回目の使用による寿命消耗量である）であり、Ｙは当該使用回までにおける平均減少量Ｘ／ｎであり、Ｚは情報携帯端末の当該使用回までの平均時間である。寿命消耗量は、前回までの残り寿命と今回までの残り寿命との差である。残り寿命は式（２）により求められる。平均時間は、各使用回毎に、電源入りの指示（ステップＳＤ１）から本体電源の遮断（ステップＳＤ１７）までの使用時間をタイマ回路２４で計時し、各使用時間の和を使用回数で除して求める。
算出した使用可能時間をＬＣＤ４２に表示して（ステップＳＣ１６）本体電源の遮断を行って（ステップＳＣ１７）情報携帯端末の処理を終了する。
【００５８】
また、イベントの入力があって（ステップＳＤ１１のＹＥＳ）、そのイベントが副電池のバックアップ可能時間の確認のイベントである場合には（図２１のステップＳＤ１２１のＹＥＳ）、今回の使用前の充電量及び今回の使用で消費した放電量を算出する（ステップＳＤ１２２）。今回の使用前に算出して記憶して置いた充電量及び今回の使用で算出した放電量でＦＲＯＭ３４Ｂの電池特性テーブルを参照してバックアップ可能時間を求める（ステップＳＣ１２３）。その充電量の算出は、充電回路２０による充電の開始からその停止までの充電時間をタイマ回路２４で計時してその充電時間並びに副電池の電圧及び流入電流に基づいて行い、算出した充電量をＦＲＯＭ３４Ｃに記憶する。求めたバックアップ可能時間をＬＣＤ３６に表示する（ステップＳＤ１２４）。
【００５９】
バックアップ可能時間の表示に続いて、副電池の寿命確認の場合と同様に、電源切りの指示の有無の判定が行われる（ステップＳＤ１２）。その指示がなければ（ステップＳＤ１２のＮＯ）、ステップＳＤ１１の処理に入る。前記指示があれば（ステップＳＤ１２のＹＥＳ）、レジューム設定の有無の判定が行われる（ステップＳＣ１３）。
レジューム設定の有無の判定処理に入って使用可能時間の表示を行った後（ステップＳＤ１６）、本体電源の遮断を行って情報携帯端末の処理を終了する。
【００６０】
このように、この実施例の構成によれば、情報携帯端末の各使用毎に、当該使用で生じた寿命消耗量及び使用時間を記憶し、記憶した各寿命消耗量から１回の平均寿命消耗量を算出すると共に記憶した各使用時間から１回の平均使用時間を算出した後、記憶された各寿命消耗量、算出された平均寿命消耗量及び平均使用時間、並びに副電池の最大寿命に基づいて副電池の寿命が来るまでの使用可能時間（寿命予測値）を表示して予測としての副電池に残されている使用可能量を情報携帯端末の使用者に報知することができる。
また、情報携帯端末の各使用毎に充電量及び放電量を算出し、算出した充電量及び放電量で電池特性テーブルを参照することにより、当該使用後のバックアップ可能時間を予測することができる。
このような副電池の使用後の使用可能能力を予測して使用者に報知することができ、電池を適切な時期に交換し得るので、揮発性記憶素子を内蔵する情報携帯端末の不注意による重要な情報の喪失という事態の発生をより完全に防止することができて情報携帯端末の円滑な運用に資するところが大きい。
【００６１】
以上、この発明の実施例を図面を参照して詳述してきたが、この発明の具体的な構成は、これらの実施例に限られるものではなく、この発明の趣旨を逸脱しない範囲の設計の変更等があってもそれらはこの発明に含まれる。
例えば、第２実施例及び第４実施例における使用可能時間の算出を電池の最大寿命、当該算出回までの寿命消耗量の和、平均寿命消耗量及び平均使用時間から求める例を説明したが、当該算出回までに電池にある寿命残量を算出し、その寿命残量と平均寿命消耗量及び平均使用時間から求めるようにしてもよい。
【００６２】
【発明の効果】
以上説明したように、この発明の構成によれば、二次電池の使用毎の放電量を算出し、算出した放電量に対応する寿命影響指数を取得し、今回の使用までの使用毎に取得された寿命影響指数及び二次電池の最大寿命に基づいて今回の使用後の二次電池の寿命を算出し、算出された寿命が予め決められたしきい値より小さいか大きいかに従って二次電池の寿命が来ているか否かを判定するので、情報携帯端末に装備されている資源の増大無しに、すなわち、情報携帯端末のコストの増大無しに、二次電池の寿命のより正確な判定をすることが可能となる。
また、二次電池の各使用毎に当該使用に先立つ充電量及び当該使用による放電量を算出し、算出された充電量及び放電量に対応する寿命影響指数を取得し、取得した使用毎の寿命影響指数及び二次電池の最大寿命に基づいて今回の使用後の二次電池の寿命を算出し、算出された寿命が予め決められたしきい値より小さいか大きいかに従って二次電池の寿命が来ているか否かを判定するので、さらに正確な二次電池の寿命を判定することが可能となる。
また、今回の使用までの二次電池の寿命残量、今回の使用までの平均寿命消耗量及び今回の使用までの平均使用時間を算出し、算出された寿命残量、平均寿命消耗量及び平均使用時間に基づいて今回の使用後の前記二次電池の使用可能時間を出力するようにしたので、各使用後に二次電池に残されている使用可能時間を使用者に報知することができる。
したがって、二次電池の寿命乃至使用可能時間の報知を適切に行うことができるので、揮発性記憶素子を内蔵する情報携帯端末の二次電池の寿命を不注意により看過してしまうことから発生する重要な情報の喪失という事態の発生をより完全に防止することができて情報携帯端末の円滑な運用に資するところが大きい。
【図面の簡単な説明】
【図１】この発明の第１実施例である二次電池寿命判定装置の電気的構成を示すブロック図である。
【図２】同二次電池寿命判定装置で用いる副電池の副電池センス信号を出力する回路を示す図である。
【図３】同二次電池寿命判定装置の二次電池寿命判定処理手順を示すフローチャートの一部である。
【図４】同二次電池寿命判定装置の二次電池寿命判定処理手順を示すフローチャートの一部である。
【図５】同二次電池寿命判定装置の二次電池寿命判定処理手順を示すフローチャートの残部である。
【図６】この発明の第２実施例である二次電池寿命判定装置の電気的構成を示すブロック図である。
【図７】同二次電池寿命判定装置で用いられる電池可特性テーブルを示す図である。
【図８】同二次電池寿命判定装置の二次電池寿命判定処理手順を示すフローチャートの一部である。
【図９】同二次電池寿命判定装置の二次電池寿命判定処理手順を示すフローチャートの残部である。
【図１０】この発明の第３実施例である二次電池寿命判定装置の電気的構成を示すブロック図である。
【図１１】同二次電池寿命判定装置で用いられる電池特性テーブルを示す図である。
【図１２】図１２は、同二次電池寿命判定装置の二次電池寿命判定処理手順を示すフローチャートの一部である。
【図１３】同二次電池寿命判定装置の二次電池寿命判定処理手順を示すフローチャートの一部である。
【図１４】同二次電池寿命判定装置の二次電池寿命判定処理手順を示すフローチャートの一部である。
【図１５】図１５は、同二次電池寿命判定装置の二次電池寿命判定処理手順を示すフローチャートの残部である。
【図１６】この発明の第う実施例である二次電池寿命判定装置の電気的構成を示すブロック図である。
【図１７】同二次電池寿命判定装置で用いられる電池特性テーブルを示す図である。
【図１８】同二次電池寿命情報報知装置の二次電池寿命判定処理手順を示すフローチャートの一部である。
【図１９】同二次電池寿命判定装置の二次電池寿命判定処理手順を示すフローチャートの一部である。
【図２０】同二次電池寿命判定装置の二次電池寿命判定処理手順を示すフローチャートの一部である。
【図２１】同二次電池寿命判定装置の二次電池寿命判定処理手順を示すフローチャートの残部である。
【符号の説明】
２，２Ａ，２Ｂ，２Ｃ      情報携帯端末
１４      副電池（二次電池）
２０      充電回路（第１の充電量／放電量算出手段の一部、残り寿命算出手段の一部、第２の充電量／放電量算出手段の一部）
２２      ＤＣ／ＤＣ変換回路（第１の充電量／放電量算出手段の一部、残り寿命算出手段の一部、第２の充電量／放電量算出手段の一部）
２４      タイマ回路（第１の放電量算出手段の一部、第１の充電量／放電量算出手段の一部、残り寿命算出手段の一部、第２の放電量算出手段の一部、第２の充電量／放電量算出手段の一部）
２６      制御回路（第１の放電量算出手段の一部、第１の指数取得手段の一部、第１の寿命算出手段の一部、第１の判定手段、第１の充電量／放電量算出手段の一部、第２の指数取得手段の一部、第２の寿命算定手段の一部、第２の判定手段、残り寿命算出手段の一部、平均寿命減少量算出手段の一部、平均時間算出手段の一部、使用可能時間出力手段の一部、第２の放電量算出手段の一部、第３の指数取得手段の一部、第１の差出力手段、第２の充電量／放電量算出手段の一部、第４の指数取得手段の一部、第２の差出力手段）
３０，３０Ａ，３０Ｂ，３０Ｃ      メモリ（第１の指数取得手段の残部、第１の寿命算出手段の残部、第２の指数取得手段の残部、第２の寿命算出手段の残部、残り寿命算出手段の一部、平均寿命消耗量算出手段の一部、平均時間算出手段の一部、使用可能時間出力手段の一部、第３の指数取得手段の残部、第４の指数取得手段の残部）
３２，３２Ａ，３２Ｂ，３２Ｃ      ＲＯＭ（第１の放電量算出手段の残部、第１の充電量／放電量算出手段の残部、残り寿命算出手段の一部、平均寿命消耗量算出手段の残部、平均時間算出手段の残部、使用可能時間出力手段の残部、第２の放電量算出手段の残部、第２の充電量／放電量算出手段の残部、）
３４，３４Ａ，３４Ｂ，３４Ｃ      ＦＲＯＭ（第１の記憶手段、第２の記憶手段、残り寿命算出手段の残部）
【図１】
0003616528.tif 000002
【図２】
0003616528.tif 000003
【図３】
0003616528.tif 000004
【図４】
0003616528.tif 000005
【図５】
0003616528.tif 000006
【図６】
0003616528.tif 000007
【図７】
0003616528.tif 000008
【図８】
0003616528.tif 000009
【図９】
0003616528.tif 000010
【図１０】
0003616528.tif 000011
【図１１】
0003616528.tif 000012
【図１２】
0003616528.tif 000013
【図１３】
0003616528.tif 000014
【図１４】
0003616528.tif 000015
【図１５】
0003616528.tif 000016
【図１６】
0003616528.tif 000017
【図１７】
0003616528.tif 000018
【図１８】
0003616528.tif 000019
【図１９】
0003616528.tif 000020
【図２０】
0003616528.tif 000021
【図２１】
0003616528.tif 000022